(57)【要約】【課題】特に脱臭だけでなく、ウィルスや細菌、カビ菌を殺菌除去できる使用勝手のよい脱臭装置を得ることを目的とする。。【解決手段】  脱臭殺菌手段を内部に着脱可能に支持した装置本体；内部に吸引路を有し、先端部に吸引口を有する吸引アーム；及び上記吸引アームの吸引口から外気を吸引し、吸引した外気を上記吸引路を介して上記脱臭殺菌手段に導く強制給気手段；を備え、上記脱臭殺菌手段は、少なくとも、オゾン発生手段、活性炭、ＵＶランプ、光触媒及びオゾン除去手段を含んでいる脱臭装置。【選択図】図１
2016049396.tif 000002
【特許請求の範囲】
【請求項１】
脱臭殺菌手段を内部に着脱可能に支持した装置本体；
内部に吸引路を有し、先端部に吸引口を有する吸引アーム；及び
上記吸引アームの吸引口から外気を吸引し、吸引した外気を上記吸引路を介して上記脱臭殺菌手段に導く強制給気手段；
を備え、
上記脱臭殺菌手段は、少なくとも、オゾン発生手段、活性炭、ＵＶランプ、光触媒及びオゾン除去手段を含んでいることを特徴とする脱臭装置。
【請求項２】
請求項１記載の脱臭装置において、上記オゾン発生手段は、波長１７２ｎｍの光を放射するエキシマランプである脱臭装置。
【請求項３】
請求項１乃至２のいずれか１項記載の脱臭装置において、上記ＵＶランプは、波長２５４ｎｍの光を放射する低圧水銀ランプである脱臭装置。
【請求項４】
請求項１乃至３のいずれか１項記載の脱臭装置において、さらに上記脱臭殺菌手段を通過した外気に一定濃度以上のオゾンが含まれるか否かを検出するオゾンセンサを含み、上記脱臭殺菌手段は、上記吸引外気を、上記オゾン発生手段、上記活性炭、上記ＵＶランプ、上記光触媒、及び上記オゾン除去手段の順番に通過させる脱臭装置。
【請求項５】
請求項１乃至４のいずれか１項記載の脱臭装置において、上記吸引アームは、上記装置本体に水平軸を中心に回動可能に支持されている脱臭装置。
【請求項６】
請求項１乃至５のいずれか１項記載の脱臭装置において、上記吸引アームは、上記脱臭殺菌手段を内蔵した筐体の側面に水平軸を中心に回動可能に支持されている脱臭装置。
【請求項７】
請求項６記載の脱臭装置において、上記吸引アームは、その特定回動位置において、該吸引アーム全体の高さ位置が上記装置本体筐体の高さ位置内に収まるように支持されている脱臭装置。
【請求項８】
請求項１乃至７のいずれか１項記載の脱臭装置において、上記吸引アームは、水平関節軸を中心に互いに回動可能な複数からなっていて、その最先端の吸引アームに上記吸引口が備えられている脱臭装置。
【発明の詳細な説明】
【技術分野】
【０００１】
本発明は、病院での火傷治療中の臭気や老人介護施設等における排泄物処理（おむつ交換など）の際に発生する臭気、浮遊ウィルス、細菌、カビ菌等を局所的に吸引除去し、室内への拡散防止を目的とする脱臭装置に関する。
【背景技術】
【０００２】
高齢化社会が進行し要介護老人が増加する中、この種の脱臭装置の必要性が高まっており、各種の提案がされている。特許文献１は、内部に吸引路を有する吸引アームの先端の吸引口内の具体的構造を提案している。また、特許文献２は、浄化対象空気を接触させる吸着フィルタとして、ミクロ細孔を有する担体に金属を担持させた構造の吸着剤を提案している。
【先行技術文献】
【特許文献】
【０００３】
【特許文献１】特許第４６５１７４１号公報
【特許文献２】特開平６-４７２４６号公報
【発明の概要】
【発明が解決しようとする課題】
【０００４】
しかしながら、これら従来の脱臭装置は、脱臭に重きが置かれていてウィルスや細菌、カビ菌などを殺菌することはできない。脱臭のための吸着剤だけでは、急激な臭気が局所的に放出される場合には脱臭効果も限定的となる可能性がある。また、従来装置は、吸引アームの先端の自由度が低く、吸引口を必要な場所に迅速に移動させることが困難であった。特に吸引口を上下方向に移動させる自由度が低かった。
【０００５】
本発明は、以上の問題意識に基づき、脱臭だけでなく、ウィルスや細菌、カビ菌を殺菌除去できる使用勝手のよい脱臭装置を得ることを目的とする。また、本発明は、特に吸引アーム先端の上下方向位置の自由度が高く使い勝手のよい脱臭装置を得ることを目的とする。
【課題を解決するための手段】
【０００６】
本発明に係る脱臭装置は、脱臭殺菌手段を内部に着脱可能に支持した装置本体；内部に吸引路を有し、先端部に吸引口を有する吸引アーム；及び上記吸引アームの吸引口から外気を吸引し、吸引した外気を上記吸引路を介して上記脱臭殺菌手段に導く強制給気手段；を備え、上記脱臭殺菌手段は、少なくとも、オゾン発生手段、活性炭、ＵＶランプ、光触媒及びオゾン除去手段を含んでいることを特徴としている。
【０００７】
上記オゾン発生手段は、具体的には、波長１７２ｎｍの光を放射するエキシマランプから構成することが好ましい。
【０００８】
また、上記ＵＶランプは、波長２５４ｎｍの光を放射する低圧水銀ランプから構成することが好ましい。
【０００９】
本発明の脱臭装置は、さらに上記脱臭殺菌手段を通過した外気に一定濃度以上のオゾンが含まれるか否かを検出するオゾンセンサを含むことが好ましい。また、上記脱臭殺菌手段は、上記吸引外気を、上記オゾン発生手段、上記活性炭、上記ＵＶランプ、上記光触媒、及び上記オゾン除去手段の順番に通過させることが好ましい。オゾンセンサが環境基準値以上の濃度のオゾンを検出すると、オゾン発生手段によるオゾンの発生を停止する。
【００１０】
上記吸引アームは、上記装置本体に水平軸を中心に回動可能に支持することで、吸引アーム先端の吸引口の上下方向の自由度を高めることができる。
【００１１】
上記吸引アームは、一実施形態では、上記脱臭殺菌手段を内蔵した筐体の側面に水平軸を中心に回動可能に支持されている。そして、この吸引アームは、その特定回動位置において、該吸引アーム全体の高さ位置が上記装置本体筐体の高さ位置内に収まるように支持されていることが好ましい。
【００１２】
別の実施形態では、装置本体は筐体と該筐体から突出させた固定給気筒からなっており、吸引アームは、この固定給気筒に水平軸を中心に回動可能に支持されている。
【００１３】
上記吸引アームは、水平関節軸を中心に互いに回動可能な複数から構成するのが実際的であり、その最先端の吸引アームに上記吸引口が備えられている。
【発明の効果】
【００１４】
本発明の脱臭装置は、装置本体に内蔵された脱臭殺菌手段が、少なくとも、オゾン発生手段、活性炭、ＵＶランプ、光触媒及びオゾン除去手段を含んでいるので、脱臭だけでなく、殺菌作用を得ることができ、ひいては脱臭効果を高めることができる。
【図面の簡単な説明】
【００１５】
【図１】本発明による脱臭装置の一実施形態を示す使用状態における一実施形態を示す斜視図である。
【図２】同収納状態を示す側面図である。
【図３】吸引アームの回動関節部分の断面図である。
【図４】本発明脱臭装置に用いる脱臭殺菌手段の一実施形態を示すスタック図である。
【図５】同脱臭殺菌手段の斜視概念図である。
【図６】本発明による脱臭装置の別の実施形態を示す斜視図である。
【発明を実施するための形態】
【００１６】
図１、図２は、本発明の脱臭装置１００全体の外観構成を示すもので、図１は使用状態、図２は収納状態を示している。脱臭装置１００は、キャスタ１１を有する走行基台１２を有し、この走行基台１２の下方に重量の大きいバッテリ１３が支持され、上方に装置本体２０が支持されている。
【００１７】
装置本体２０は、直方体状の外観を呈する筐体２１を有し、その一側面２２に、第１吸引アーム３０が水平関節軸３１で回動可能に支持されている。第１吸引アーム３０の先端部には、同じく水平軸からなる水平関節軸３２により第２吸引アーム３３が回動可能に支持され、同様に第２吸引アーム３３の先端には水平関節軸３４により第３吸引アーム３５が回動可能に支持され、第３吸引アーム３５の先端には水平関節軸３６により第４吸引アーム３７が順に結合されている。そして、第４吸引アーム３７の先端部には、吸引口（吸引カップ）３８が設けられている。
【００１８】
水平関節軸３１、第１吸引アーム３０、水平関節軸３２、第２吸引アーム３３、水平関節軸３４、第３吸引アーム３５、水平関節軸３６、及び第４吸引アーム３７内には、一連の吸引路４０が配設されている。この吸引路４０の一端部は、吸引口３８に開口し、他端部は装置本体２０内に導かれている。図３に概念的に示すように、水平関節軸３６（水平関節軸３４、水平関節軸３２、水平関節軸３１）は、水平軸Ｘを中心に吸引アーム３７と３５（吸引アーム３５と３３、吸引アーム３３と３０、吸引アーム３０と装置本体２０）を相対回動可能としており、吸引路４０は各水平軸Ｘ部分に挿通されている。
【００１９】
装置本体２０の筐体２１内には、着脱可能な脱臭殺菌ユニット（脱臭殺菌手段）５０が内蔵されている。図４、図５は、脱臭殺菌ユニット５０の概念図であり、脱臭殺菌ユニット５０の吸気口５１は、装置本体２０内に導かれた吸引路端部４０Ｘに着脱可能である。脱臭殺菌ユニット５０内には、吸気口５１と排気口５２との間に順番に、プレフィルタ（エアフィルタ）５３、オゾン発生器（オゾンランプ）５４、活性炭５５、紫外線（ＵＶ）ランプ５６、光触媒（ガラスセラミック光触媒）５７及びオゾン除去手段（オゾン分解フィルタ）５８が積層（スタック）配置されている。
【００２０】
装置本体２０内には、脱臭殺菌ユニット５０の排気口５２から空気を吸引する吸引ファン（強制給気手段、図示例では２つの吸引ファン）６０と、この吸引ファン６０と脱臭殺菌ユニット５０との間に位置するオゾンセンサ５９が固定的に配置されている。オゾンセンサ５９は、吸引ファン６０によって吸引され脱臭殺菌ユニット５０を通過した外気に一定濃度（環境基準値）以上のオゾンが含まれているか否かを検出し、一定濃度以上のオゾンを検出したときオゾン発生器５４の駆動を停止する。この吸引ファン６０及び脱臭殺菌ユニット５０内の要電気要素（例えばオゾン発生器５４、紫外線ランプ５６、光触媒５７、オゾンセンサ５９）には、導電ケーブル１４（図１）を介して、バッテリ１３から給電される。
【００２１】
プレフィルタ（エアフィルタ）５３、オゾン発生器（オゾンランプ）５４、活性炭５５、紫外線（ＵＶ）ランプ５６、光触媒（ガラスセラミック光触媒）５７及びオゾン除去手段（オゾン分解フィルタ）５８はそれぞれ既知の要素であるが、オゾン発生器５４は中でも波長１７２ｎｍの光を放射するエキシマランプから構成することが好ましい。すなわち、エキシマランプ以外のオゾン発生手段としては、放電を利用したものが知られているが、放電方式は、湿度の影響を受けて動作が不安定になりやすく、またＮＯｘのような有害副産物を生成するおそれがあるので、波長１７２ｎｍの光を放射するエキシマランプが最も好ましい。またＵＶランプ５６は、波長２５４ｎｍの光を放射する低圧水銀ランプが好ましい。２５４ｎｍの波長の紫外光は、脱臭殺菌効果だけでなく、エキシマランプで発生したオゾンの分解能力が高く、さらに、活性炭の再活性化、光触媒への照射が可能になる。オゾンは、波長２５４ｎｍの光を放射する低圧水銀ランプと、該低圧水銀ランプより下流側のオゾン除去手段（オゾン分解フィルタ）５８とによって除去されるため、環境基準値以上のオゾンの排出をより確実に防止することができる。また、光触媒（ガラスセラミック光触媒）５７は、空気に含まれる臭気成分や有害物質などを分解して除去する。
【００２２】
上記構成の本脱臭装置１００は次のように使用する。例えば老人介護施設において、要介護者のおむつを交換するとき、臭気を発している局所に吸引口３８を接近させる。吸引口３８は、水平関節軸３１、水平関節軸３２、水平関節軸３４、水平関節軸３６を介して水平軸Ｘを中心に回動可能な第１吸引アーム３０、第２吸引アーム３３、第３吸引アーム３５、第４吸引アーム３７によって、自由に位置｛高さ位置及び前後位置｝を変化させることができる。吸引口３８を局所に接近させた状態において（あるいは接近させる前から）、吸引ファン６０を駆動すると、吸引口３８から吸引路４０を通って臭気（臭いやウィルス、細菌、カビ菌等）を含む空気（有臭空気）が装置本体２０（筐体２１）内に導かれ、吸引路端部４０Ｘに接続されている吸気口５１から脱臭殺菌ユニット５０内に供給される。脱臭殺菌ユニット５０内に入った有臭空気は、図５に模式的に示す空気流Ａのように、プレフィルタ５３、オゾン発生器（オゾンランプ）５４、活性炭５５、紫外線（ＵＶ）ランプ５６、光触媒（ガラスセラミック光触媒）５７及びオゾン除去手段（オゾン分解フィルタ）５８を順番に通過して、除菌、除臭及びオゾンの除去が行われる。
【００２３】
より具体的には、プレフィルタ５３で吸引空気中のゴミや塵埃などが取り除かれ、次に、オゾン発生手段（オゾンランプ）５４で発生させたオゾンの作用によって殺菌・除菌、脱臭が行われる。次の活性炭５５は、臭気成分を吸着することで脱臭効果をより高める。そして、オゾン発生手段（オゾンランプ）５４と紫外線（ＵＶ）ランプ５６の間に活性炭５５が位置することで、活性炭５５を再活性化しつつ、点灯中の紫外線（ＵＶ）ランプ５６の熱を分散させることができる。つまり、オゾン発生手段（オゾンランプ）５４と紫外線（ＵＶ）ランプ５６が連続で位置すると、ランプ自身が熱くなり筐体２１が局所的に熱くなる可能性があるため、両ランプの間に活性炭５５を配置している。また、光触媒５７を紫外線（ＵＶ）ランプ５６の下流側にすることで、紫外線（ＵＶ）ランプ５６で脱臭・殺菌しつつ光触媒５７に光を照射させることができる。最後にオゾン分解フィルタ５８でオゾンを分解し、外気へのオゾンの放出を防ぐ。
【００２４】
そして、脱臭殺菌ユニット５０を通過した外気中のオゾン濃度は、オゾンセンサ５９によって検出される。オゾンセンサ５９が一定濃度（環境基準値）以上のオゾンを検出すると、オゾン発生器５４の駆動を停止して、オゾン濃度を環境基準値以下に抑制する。
【００２５】
脱臭殺菌ユニット５０内の要素のうち、定期的な交換あるいは清掃を要するものは、脱臭殺菌ユニット５０を装置本体２０（筐体２１）から取り外してこれを行うことができる。
【００２６】
そして、以上の脱臭装置１００は、収納時（非使用時）には、図２に示すように、第１吸引アーム３０（及び第２吸引アーム３３、第３吸引アーム３５、第４吸引アーム３７）を回動させて、装置本体２０の筐体２１の高さ内に位置させることができる。このため、使用時における吸引口３８の位置の自由度（特に上下方向の位置の自由度）を確保しつつ、収納時の低背化を実現できる。
【００２７】
以上の実施形態では、４本の吸引アームを水平関節軸で相対回動可能に連結して吸引口３８の移動の自由度を高めているが、吸引アームは最低２本存在すれば、吸引口３８の上下方向の高い自由度を保ちつつ局所へのアプローチが可能である。
【００２８】
図６は、本発明による脱臭装置１００の第２の実施形態を示している。この実施形態は、装置本体２０が筐体２１と筐体２１に上方に向けて固定した固定給気筒２３とからなっている。この固定給気筒２３の上端部には、鉛直方向軸線Ｚに対して直交する水平軸Ｘを有する水平関節軸３１を介して第１吸引アーム３０が回動自在に取り付けられている。この実施形態での吸引アームと水平関節軸は、３段であり、第３吸引アーム３５の先端に、吸引口３８が設けられている。吸引口３８から水平関節軸３１に至る吸引アーム群の中には、図１ないし図２ないし図４で説明した吸引路４０が設けられ、この吸引路４０は、固定給気筒２３を介して筐体２１内の脱臭殺菌ユニット５０の給気口５１に連なっている。この他の要素は、図１ないし図５の第１実施形態と同様である。
【００２９】
この第２の実施形態においても、収納時には、全ての吸引アームを水平関節軸３１の高さ位置より下方に位置させて、収納時の低背化（小型化）を図ることができる。
【００３０】
以上の実施形態の吸引口３８は平面円形のカップ形状であるが、この形状は一例であり、平面形状は矩形や三角形、多角形とし、カップ形状はロート形状等の他の形状を採用することができる。
【符号の説明】
【００３１】
１００  脱臭装置
１１  キャスタ
１２  走行基台
１３  バッテリ
２０  装置本体
２１  筐体
２２  側面
２３  固定給気筒
３０  ３３  ３５  ３７  吸引アーム
３１  ３２  ３４  ３６  水平関節軸
３８  吸引口（吸引カップ）
４０  吸引路
５０  脱臭殺菌ユニット（脱臭殺菌手段）
５１  吸気口
５２  排気口
５３  プレフィルタ
５４  オゾン発生器
５５  活性炭
５６  紫外線ランプ
５７  光触媒
５８  オゾン分解フィルタ（オゾン除去手段）
５９  オゾンセンサ
６０  吸引ファン（強制給気手段）
Ｘ  水平回転軸
【図１】
2016049396.tif 000003
【図２】
2016049396.tif 000004
【図３】
2016049396.tif 000005
【図４】
2016049396.tif 000006
【図５】
2016049396.tif 000007
【図６】
2016049396.tif 000008